(57)【要約】【課題】オペレータが重要機器を操作しようとする場合に、当該オペレータに対して注意を喚起し、当該操作に対する再確認を促すことを可能とする。【解決手段】入出力装置１１ａは、現場機器５０を示す機器情報及び現場機器５０に対する制御内容を示す制御情報を含む操作入力情報を入力する。入出力判定部１３は、操作入力情報に含まれる機器情報及び制御情報に対応付けて機器情報ＤＢ１２２に格納されている重要度情報が重要であることを示すと判定された場合、入出力装置１１ａに警告信号を出力することにより警告する。制御出力部１５は、警告後、入出力装置１１ａによって入力された操作入力情報と同一の操作入力情報が入出力装置１１ｂによって入力された場合、当該操作入力情報に含まれる制御情報によって示される制御の内容に応じた制御指令を当該操作入力情報に含まれる機器情報によって示される現場機器５０に対して出力する。【選択図】      図１
2010020556.tif 000002
【特許請求の範囲】
【請求項１】
建物内に設けられた現場機器の状態を監視するビル監視装置において、
前記現場機器を示す機器情報、当該現場機器に対する制御の内容を示す制御情報及び当該現場機器に対する当該制御の内容が重要であるかを示す重要度情報を対応付けて予め格納する機器情報格納手段と、
第１のオペレータの操作に応じて、前記現場機器を示す機器情報及び当該現場機器に対する制御内容を示す制御情報を含む操作入力情報を入力する第１の入力手段と、
前記第１の入力手段によって入力された操作入力情報に含まれる機器情報及び制御情報に対応付けて前記機器情報格納手段に格納されている重要度情報が重要であることを示すかを判定する第１の判定手段と、
前記重要度情報が重要であることを示すと判定された場合、前記第１の入力手段に警告信号を出力することにより前記第１のオペレータに対して警告する警告手段と、
前記第１のオペレータとは異なる第２のオペレータの操作に応じて、前記現場機器を示す機器情報及び当該現場機器に対する制御内容を示す制御情報を含む操作入力情報を入力する第２の入力手段と、
前記警告手段による警告後、前記第１の入力手段によって入力された前記操作入力情報と同一の操作入力情報が前記第２の入力手段によって入力されたかを判定する第２の判定手段と、
前記同一の操作入力情報が入力されたと判定された場合、当該操作入力情報に含まれる制御情報によって示される制御の内容に応じた制御指令を当該操作入力情報に含まれる機器情報によって示される現場機器に対して出力する制御出力手段と
を具備することを特徴とするビル監視装置。
【請求項２】
前記警告手段は、前記第１の入力手段に警告信号を出力することにより、当該第１の入力手段を振動させることによって前記第１のオペレータに対して警告することを特徴とする請求項１記載のビル監視装置。
【請求項３】
第１の入力手段と、第２の入力手段と、建物内に設けられた現場機器を示す機器情報、当該現場機器に対する制御の内容を示す制御情報及び当該現場機器に対する当該制御の内容が重要であるかを示す重要度情報を対応付けて予め格納する機器情報格納手段とを有するビル監視装置が実行するビル監視方法であって、
第１のオペレータに操作に応じて、前記第１の入力手段が前記現場機器を示す機器情報及び当該現場機器に対する制御内容を示す制御情報を含む操作入力情報を入力するステップと、
前記第１の入力手段によって入力された操作入力情報に含まれる機器情報及び制御情報に対応付けて前記機器情報格納手段に格納されている重要度情報が重要であることを示すかを判定するステップと、
前記重要度情報が重要であることを示すと判定された場合、前記第１の入力手段に警告信号を出力することにより前記第１のオペレータに対して警告するステップと、
前記第１のオペレータとは異なる第２のオペレータの操作に応じて、前記第２の入力手段が前記現場機器を示す機器情報及び当該現場機器に対する制御内容を示す制御情報を含む操作入力情報を入力するステップと、
前記警告後、前記第１の入力手段によって入力された前記操作入力情報と同一の操作入力情報が前記第２の入力手段によって入力されたかを判定するステップと、
前記同一の操作入力情報が入力されたと判定された場合、当該操作入力情報に含まれる制御情報によって示される制御の内容に応じた制御指令を当該操作入力情報に含まれる機器情報によって示される現場機器に対して出力するステップと
を具備することを特徴とするビル監視方法。
【発明の詳細な説明】
【技術分野】
【０００１】
本発明は、ビル施設内の電気・空調・衛生設備などの各種設備の運転状況の監視を行うビル監視装置及びビル監視方法に関する。
【背景技術】
【０００２】
近年、ビル等の大規模施設においては、当該施設内に散在する、電気、空調、衛生を含む各種設備（現場機器）の動作状態を、例えば監視室等に設置されたモニタ画面にて集中的に監視・制御するビル監視システム（ビル監視装置）が導入されている。このビル監視システムが導入されることにより、ビル設備管理の効率化に効果を上げている。
【０００３】
このようなビル監視システムでは、オペレータは多種多様な設備の監視及び操作を行うことができる。このオペレータが監視及び操作を行う設備の中でも、例えば施設の運用に多大な影響を及ぼすような設備（重要機器）については、特に当該オペレータの誤操作を防止する必要がある。そこで、ビル監視システムでは、オペレータが重要機器に対して操作を行う場合に、当該オペレータの誤操作の防止を目的として例えば操作手順を１つ増やす等のインタロック機能が備えられているのが一般的である。
【０００４】
例えば入力作業が簡単でしかも無駄な操作ミスの発生を防止する技術（以下、先行技術と表記）が開示されている（例えば、特許文献１を参照）。この先行技術によれば、画面に表示しているキーを選択可能状態、選択済み状態及び選択抑止状態に区分し、これに合わせて表示態様を変更しているので、操作者がどのキーを選択すればよいか容易に認識できる。
【特許文献１】特開平３−２２６８９９号公報
【発明の開示】
【発明が解決しようとする課題】
【０００５】
上記したようにビル監視システムにおいては、例えば重要機器操作に対するインタロック機能（機構）が備えられている。しかしながら、１日に数多くの設備（機器）に対する操作を行うオペレータにとっては、例えば思い込みまたは操作の慣れから、上記したインタロック機能があったとしても誤操作を行う可能性はある。
【０００６】
また、上記した先行技術は、例えばオペレータが特定の操作を行う際に、誤って入力項目の範囲外選択ミスまたは入力順序のミスを防止することを目的とするものである。このため、例えば重要機器を操作する必要がない（または操作してはいけない）にもかかわらずオペレータが誤って当該操作を行う場合、先行技術では、当該操作自体が正常な手順で行われた場合には誤った操作であっても当該操作は有効なものとして扱われ、当該重要機器に対する制御が実行されることになる。
【０００７】
そこで、本発明の目的は、オペレータが重要機器を操作しようとする場合に、当該オペレータに対して注意を喚起し、当該操作に対する再確認を促すことができるビル監視装置及びビル監視方法を提供することにある。
【課題を解決するための手段】
【０００８】
本発明の１つの態様によれば、建物内に設けられた現場機器の状態を監視するビル監視装置が提供される。このビル監視装置は、前記現場機器を示す機器情報、当該現場機器に対する制御の内容を示す制御情報及び当該現場機器に対する当該制御の内容が重要であるかを示す重要度情報を対応付けて予め格納する機器情報格納手段と、第１のオペレータの操作に応じて、前記現場機器を示す機器情報及び当該現場機器に対する制御内容を示す制御情報を含む操作入力情報を入力する第１の入力手段と、前記第１の入力手段によって入力された操作入力情報に含まれる機器情報及び制御情報に対応付けて前記機器情報格納手段に格納されている重要度情報が重要であることを示すかを判定する第１の判定手段と、前記重要度情報が重要であることを示すと判定された場合、前記第１の入力手段に警告信号を出力することにより前記第１のオペレータに対して警告する警告手段と、前記第１のオペレータとは異なる第２のオペレータの操作に応じて、前記現場機器を示す機器情報及び当該現場機器に対する制御内容を示す制御情報を含む操作入力情報を入力する第２の入力手段と、前記警告手段による警告後、前記第１の入力手段によって入力された前記操作入力情報と同一の操作入力情報が前記第２の入力手段によって入力されたかを判定する第２の判定手段と、前記同一の操作入力情報が入力されたと判定された場合、当該操作入力情報に含まれる制御情報によって示される制御の内容に応じた制御指令を当該操作入力情報に含まれる機器情報によって示される現場機器に対して出力する制御出力手段とを具備する。
【発明の効果】
【０００９】
本発明によれば、オペレータが重要機器を操作しようとする場合に、当該オペレータに対して注意を換気し、当該操作に対する再確認を促すことを可能とする。
【発明を実施するための最良の形態】
【００１０】
以下、図面を参照して、本発明の実施形態について説明する。
【００１１】
図１は、本実施形態に係るビル監視装置の構成を示すブロック図である。図１に示すビル監視装置１０は、例えばビル等の建物内に設けられた電気、空調、衛生を含む各種設備（現場機器）５０の状態を監視する。
【００１２】
図１に示すように、ビル監視装置１０は、複数のオペレータが操作可能なように少なくとも２台設置される入出力装置１１ａ、１１ｂ（以下、２台に分けて説明する必要が無い限り入出力装置１１と表記）、メモリ１２、入出力判定部１３、警報音出力部１４及び制御出力部１５を有する。
【００１３】
入出力判定部１３、警告音出力部１４及び制御出力部１５は、ビル監視装置１０に備えられるＣＰＵ（図示せず）がメモリ１２に書き込まれたプログラム１２１を実行することにより実現されるものとする。
【００１４】
入力出力装置１１は、例えばビル監視装置１０を利用するオペレータの当該入出力装置１１に対する操作に応じて各種情報を入力する。入出力装置１１は、例えばマウス、キーボード、ディスプレイ等からなる情報入出力装置である。このマウス、またはキーボードの様なオペレータの操作部位には、例えば振動子（小型モータ）が備えられている。
【００１５】
入出力装置１１ａ（第１の入出力装置）及び１１ｂ（第２の入出力装置）は、例えばそれぞれ予め定められたオペレータ（第１のオペレータ及び第２のオペレータ）によってのみ使用される。
【００１６】
オペレータは、入出力装置１１を操作することによって例えばビル監視装置１０の監視対象である現場機器５０を示す機器情報及び当該現場機器５０に対する制御の内容を示す制御情報（データやコマンド）を含む操作入力情報を入力することができる。この場合、オペレータは、例えば入出力装置１１を操作することによって制御の対象となる現場機器５０を選択し、当該制御の内容を指定する。これにより、オペレータは、現場機器５０に対する操作を指定する。オペレータの入出力装置１１に対する操作に応じて入力された操作入力情報は、例えば所要の現場機器５０に関する情報としてディスプレイに表示される。
【００１７】
入出力装置１１に備えられている振動子は、後述する入出力判定部１３からの振動指令に基づいて振動する。また、入出力装置１１に備えられている振動子は、後述する入出力判定部１３からの振動停止指令に基づいて振動を停止する。
【００１８】
メモリ１２は、機器情報データベース１２２を含む。機器情報データベース１２２には、ビル監視装置１０の監視対象となる現場機器５０を示す機器情報、当該現場機器５０に対する制御の内容を示す制御情報、当該現場機器５０に対する当該制御の内容が重要であるかを示す重要度情報及び例えば入出力装置１１ａ及び１１ｂを対応付けるための情報（対応情報）が対応付けて予め格納される。
【００１９】
入出力判定部１３は、例えば警告中フラグを保持する。警告中フラグは、オペレータに対して警告中であるか否かを示す。警告中フラグは、オペレータに対して警告中である場合には１、オペレータに対して警告中でない場合には０を示す。
【００２０】
入出力判定部１３は、入出力装置１１によって操作入力情報が入力されると、当該入出力判定部１３において保持されている警告中フラグが０（つまり、警告中でない）であるか否かを判定する。
【００２１】
入出力判定部１３は、警告中フラグが０である場合には、入出力装置１１（入出力装置１１ａまたは１１ｂ）によって入力された操作入力情報に含まれる機器情報及び制御情報に対応付けて機器情報データベース１２２に格納されている重要度情報が重要であることを示すか否かを判定する。これにより、入出力判定部１３は、入出力装置１１によって入力された操作入力情報に応じた操作（オペレータによって指定された操作）が重要機器に対する操作（重要機器操作）であるか否かを判定する。
【００２２】
入出力判定部１３は、操作入力情報に応じた操作が重要機器操作である場合には、入出力装置１１に備えられている振動子を振動させるための前述した振動指令（警告信号）を入出力装置１１に対して出力する。また、入出力判定部１３は、操作入力情報に応じた操作が重要機器操作である場合には、警告音出力部１４に対して警告音を鳴動させるための鳴動指令（警告信号）を出力する。このとき、入出力判定部１３は、当該入出力判定部１３において保持されている警告中フラグを０から１（警告中である）に変更する。
【００２３】
入出力判定部１３は、警告中フラグが０でない、つまり１である場合には、例えば入出力装置１１ａによって入力された操作入力情報と同一の操作入力情報が当該入出力装置１１ａに対応付けられている入出力装置１１ｂによって入力されたか否かを判定する。このとき、入出力判定部１３は、機器情報データベース１２２に格納されている対応情報を参照して判定処理を実行する。
【００２４】
入出力判定部１３は、同一の操作入力情報が入力されたと判定された場合、当該操作入力情報に含まれる機器情報及び制御情報に基づいて、制御出力部１５に対して制御指令を出力する。この制御指令は、操作入力情報に含まれる機器情報によって示される現場機器５０に対して、当該操作入力情報に含まれる制御情報によって示される制御の内容に応じた制御（操作）を実行させるための指令である。
【００２５】
このとき、入出力判定部１３は、振動子が振動中（つまり、警告中）である入出力装置１１に対して振動子の振動を停止させるための振動停止指令を出力する。また、入出力判定部１３は、警告音出力部１４に対して警告音の鳴動を停止させるための鳴動停止指令を出力する。
【００２６】
入出力判定部１３は、振動停止指令及び鳴動停止指令が出力されると、当該入出力判定部１３において保持されている警告中フラグを１から０に変更する。
【００２７】
入出力判定部１３は、操作入力情報に応じた操作が重要機器操作でない場合には、当該操作入力情報に基づいて制御指令を制御出力部１５に出力する。
【００２８】
警告音出力部１４は、入出力判定部１３によって出力された鳴動指令に基づいて警告音を鳴動させる。また、警告音出力部１４は、入出力判定部１３によって出力された鳴動停止指令に基づいて警告音の鳴動を停止する。
【００２９】
制御出力部１５は、入出力判定部１３によって出力された制御指令に基づいて、現場機器５０に対して制御出力を行う。これにより、現場機器５０では、オペレータによって指定された制御（操作）が行われる。
【００３０】
図２は、図１に示す機器情報データベース１２２のデータ構造の一例を示す。図２に示すように、機器情報データベース１２２には、機器情報、制御情報、重要度情報及び対応情報が対応付けて格納される。
【００３１】
機器情報は、ビル監視装置１０の監視対象となる現場機器５０を示す。制御情報は、機器情報によって示される現場機器５０に対する制御の内容を示す。
【００３２】
重要度情報は、機器情報によって示される現場機器５０に対する、制御情報によって示される制御の内容（つまり、現場機器５０に対する操作）が重要であるかを示す。重要度情報には、重要度が大きい（重要である）ことを示す「重要」及び重要度が小さいことを示す「通常」が含まれる。
【００３３】
対応情報は、例えば複数の入出力装置１１を互いに関連（対応）付けるための情報である。この対応情報によって対応付けられている入出力装置１１の全てによって操作入力情報が入力されなければ、当該対応情報に対応付けられている重要機器操作（機器情報によって示される機器に対する制御情報によって示される制御）は実行されない。
【００３４】
図２に示す例では、機器情報データベース１２２には、機器情報「工場受電ブレーカ」、制御情報「切」、重要度情報「重要」及び対応情報「Ａ  ａｎｄ  Ｂ」が対応付けて格納されている。これによれば、現場機器５０である工場受電ブレーカを切る（遮断）という操作は、重要機器操作であることが示されている。更に、この重要機器操作は、入出力装置１１ａ及び１１ｂによって操作入力情報が入力されなければ実行されないことが示されている。
【００３５】
また、機器情報データベース１２２には、機器情報「Ａ室照明スイッチ」、制御情報「入」、重要度情報「通常」及び対応情報「Ｎ．Ａ（対応がない）」が対応付けて格納されている。これによれば、現場機器５０であるＡ室照明スイッチを入れるという操作は、重要機器操作でない（通常機器操作である）ことが示されている。更に、この通常機器操作は、複数の入出力装置１１によって操作入力情報が入力されなくても実行される（つまり、１つの入出力装置１１により単独で操作可能である）ことが示されている。
【００３６】
次に、図３のフローチャートを参照して、図２に示す入出力判定部１３の処理手順について説明する。
【００３７】
まず、入出力判定部１３は、入出力装置１１によって入力された操作入力情報を取得する（ステップＳ１）。この操作入力情報には、オペレータによって選択された現場機器５０を示す機器情報及び当該現場機器５０を操作するための当該オペレータによって指定された制御の内容を示す制御情報が含まれる。
【００３８】
ここでは、入出力判定部１３は、例えばオペレータ（第１のオペレータ）の操作に応じて入出力装置１１ａによって入力された操作入力情報を取得したものとする。なお、このオペレータは、入出力装置１１ａを使用することが可能なオペレータとして予め定められているオペレータである。
【００３９】
次に、入出力判定部１３は、当該入出力判定部１３において保持されている警告中フラグが０であるか否かを判定する（ステップＳ２）。この警告中フラグは、オペレータに対して警告中であるか否かを示す。
【００４０】
ここで、現在オペレータに対して警告中でなく、入出力判定部１３によって警告中フラグが０であると判定された場合を想定する（ステップＳ２のＹＥＳ）。この場合、入出力判定部１３は、取得された操作入力情報に含まれる機器情報及び制御情報に対応付けて機器情報データベース１２２に格納されている重要度情報が重要であることを示すか否かを判定する（ステップＳ３）。つまり、入出力判定部１３は、オペレータによって指定された現場機器５０に対する操作が重要機器操作であるか否かを判定する。
【００４１】
重要度情報が重要である、つまり、オペレータによって指定された現場機器５０に対する操作が重要機器操作であると判定された場合（ステップＳ３のＹＥＳ）、入出力判定部１０３は、警告音を鳴動させるための鳴動指令を警告音出力部１４に対して出力する（ステップＳ４）。警告音出力部１４は、入出力判定部１３によって出力された鳴動指令に基づいて警告音を鳴動させる処理を実行する。
【００４２】
入出力判定部１３は、操作入力情報が入力された入出力装置１１ａに備えられている振動子（例えば、小型モータ）を振動させるための振動指令を当該入出力装置１１ａに対して出力する（ステップＳ５）。入出力装置１１ａに備えられている振動子は、入出力判定部１３によって出力された振動指令に基づいて振動する。
【００４３】
このとき、入出力判定部１３は、取得された操作入力情報（に含まれる機器情報及び制御情報）に対応付けて機器情報データベース１２２に格納されている対応情報に基づいて、当該操作入力情報を入力した入出力装置１１ａに対応付けられている入出力装置１１ｂに対しても振動指令を出力する構成であっても構わない。これにより、入出力装置１１ｂを使用するオペレータに対して重要機器操作が必要とされていることを報知することで、迅速な操作を促すことを図ってもよい。
【００４４】
上記した警告音出力部１４による警告音の鳴動及び入出力装置１１ａに備えられている振動子の振動によって、例えば入出力装置１１ａを使用するオペレータに対して、当該オペレータによって指定された操作が重要機器操作であることを警告（通知）し、当該操作が適切であるか等の再確認（注意）を促す。
【００４５】
上記したステップＳ４及びステップＳ５の処理が実行されると、入出力判定部１３は、当該入出力判定部１３において保持されている警告中フラグを１（警告中である）に設定（変更）する（ステップＳ６）。
【００４６】
ここで、上記したように警告音及び振動により操作の再確認を促されたオペレータが入出力装置１１ａを操作することにより、再度ステップＳ１において取得された操作入力情報と同一の操作入力情報が入出力装置１１ａによって入力（つまり、再度オペレータによって重要機器操作が指定）された場合を想定する。
【００４７】
この場合、入出力判定部１３は、入出力装置１１ａによって入力された操作入力情報を取得する（ステップＳ１）。
【００４８】
入出力判定部１３は、当該入出力判定部１３において保持されている警告中フラグが０であるか否かを判定する（ステップＳ２）。この場合、上記したステップＳ６において警告中フラグは１に変更されているため、入出力判定部１３は、当該警告中フラグは０でない（つまり、１である）と判定する（ステップＳ２のＮＯ）。
【００４９】
次に、入出力判定部１３は、取得された操作入力情報（に含まれる機器情報及び制御情報）に対応付けて機器情報データベース１２２に格納されている対応情報によって、当該操作入力情報を入力した入出力装置１１ａと対応付けられている入出力装置１１ｂを特定する。
【００５０】
入出力判定部１３は、特定された入出力装置１１ｂによって、上記ステップＳ１において取得された操作入力情報と同一の操作入力情報が入力されたか否かを判定する（ステップＳ７）。このとき、入出力判定部１３は、例えばステップＳ１において操作入力情報が取得された（入出力装置１１ａによって操作入力情報が入力された）後、予め定められた期間（一定期間）内に入出力装置１１ｂによって同一の操作入力情報が入力されたか否かを判定する。
【００５１】
入出力装置１１ｂによって同一の操作入力情報が入力されたと判定された場合（ステップＳ７のＹＥＳ）、入出力判定部１３は、入出力装置１１ｂによって入力された操作入力情報を取得する。この操作入力情報は、入出力装置１１ｂを使用することが可能なオペレータ（第２のオペレータ）の操作に応じて入出力装置１１ｂによって入力される。
【００５２】
入出力判定部１３は、警告音の鳴動を停止させるための鳴動停止指令を警告音出力部１４に対して出力する（ステップＳ８）。警告音出力部１４は、入出力判定部１３によって出力された鳴動停止指令に基づいて警告音の鳴動を停止する。
【００５３】
入出力判定部１３は、入出力装置１１ａに備えられている振動子の振動を停止させるための振動停止指令を入出力装置１１ａに対して出力する（ステップＳ９）。これにより、入出力装置１１ａに備えられている振動子は、入出力判定部１３によって出力された振動停止指令に基づいて振動を停止する。
【００５４】
なお、上記したように、入出力装置１１ｂに備えられている振動子が振動している場合には、入出力判定部１３は、当該入出力装置１１ｂについても振動停止指令を出力し、当該振動子の振動を停止させる。
【００５５】
このように、入出力判定部１３は、警告中に入出力装置１１ａ及び１１ｂを操作することによって操作入力情報が入力された場合には、当該入出力装置１１ａ及び１１ｂの各々を操作するオペレータ（第１及び第２のオペレータ）が重要機器操作であることを確認した上で当該重要機器操作を行っているものとして、当該警告を停止させる。
【００５６】
上記したステップＳ８及びステップＳ９の処理が実行されると、入出力判定部１３は、当該入出力判定部１３において保持されている警告中フラグを０（警告中でない）に設定（変更）する（ステップＳ１０）。
【００５７】
入出力判定部１３は、取得された操作入力情報（入出力装置１１ａ及び１１ｂによって入力された操作入力情報）に基づいて、オペレータ（第１及び第２のオペレータ）によって指定された操作（重要機器操作）を行うための制御指令を制御出力部１５に対して出力する（ステップＳ１１）。この制御指令は、取得された操作入力情報に含まれる機器情報によって示される現場機器２０に対して、当該操作入力情報に含まれる制御情報によって示される制御の内容に応じた制御（操作）を実行させるための指令である。制御出力部１５は、入出力判定部１３によって出力された制御指令に基づいて、現場機器５０に対して制御出力を行う。
【００５８】
一方、上記したステップＳ３において、オペレータ（例えば、第１のオペレータ）によって指定された操作が重要機器操作でないと判定された場合、ステップＳ１１の処理が実行される。つまり、オペレータによって指定された操作が重要機器操作でない場合には、警告は行われない。
【００５９】
また、上記したステップＳ７において、入出力装置１１ｂによって操作入力情報が入力されていないと判定された場合、処理は終了される。この場合、例えば警告は停止された後、警告中フラグは０に設定されて処理は終了される。また、この場合には、制御指令は出力されない。
【００６０】
ここでは、第１のオペレータの操作に応じて操作入力情報が入力され、当該第１のオペレータに対して警告が行われた後、第１及び第２のオペレータの操作に応じて操作入力情報が入力された場合に制御指令が出力（つまり、重要機器が操作）されるものとして説明したが、例えば警告が行われた後、一定期間内に、最初に操作入力情報を入力したオペレータ（第１のオペレータ）とは異なる第２のオペレータの操作に応じて操作入力情報が入力されれば制御指令が出力される構成であっても構わない。
【００６１】
また、警告後において、第１のオペレータの操作に応じて操作入力情報が入力された後、一定期間内に第２のオペレータの操作に応じて操作入力情報が入力されれば制御指令が出力されるものとして説明したが、第１及び第２のオペレータの操作が同時に実行された場合に限り制御指令が出力される構成としても構わない。
【００６２】
上記したように本実施形態においては、例えば第１のオペレータにより重要機器操作が指定された場合には入出力装置１１ａに備えられる振動子を振動させ、かつ、警告音を鳴動させることによって当該第１のオペレータに対して警告することで注意を促すとともに、当該警告の後に当該入出力装置１１ａ及び当該入出力装置１１ａに対応付けられている入出力装置１１ｂによって操作入力情報が再度入力された場合に制御指令が出力される。
【００６３】
上記したように本実施形態においては、入出力装置１１ａ及び１１ｂを使用することができるオペレータは予め定められているため、重要機器操作を行うためには複数のオペレータの各々（第１及び第２のオペレータ）が入出力装置１１ａ及び１１ｂをそれぞれ操作しなければならない。このように、本実施形態においては、重要機器操作を行うためには複数のオペレータの操作が必要とされるため、例えば１人のオペレータ個人の思い込みによって重要機器操作が誤って実行されることを確実に防止することができる。
【００６４】
また、本実施形態においては、オペレータによって現場機器（重要機器）５０に対する操作が指定された場合に、当該オペレータによって用いられるマウス等の入出力装置１１に備えられている振動子を振動させ、かつ、警告音を鳴動させることによって注意を促すことができる。これにより、本実施形態においては、オペレータの例えば触覚及び聴覚において当該オペレータに対して注意を促すことができる。
【００６５】
特に、入出力装置１１に備えられている振動子を振動させることにより、例えばオペレータの周囲が騒音等により警告音を聞き取りにくいような状況であっても、確実にオペレータに対して注意を促すことができる。また、警告音を鳴動させることにより、例えばオペレータ自身が入出力装置１１に触れていないことで当該入出力装置１１の振動を感知できないような場合であっても、当該オペレータに対して注意を促すことができ、かつ、当該オペレータの周囲にいる他のオペレータに対しても注意を促すこともできる。つまり、入出力装置１１に備えられている振動子を振動させ、かつ、警告音を鳴動させることで、確実にオペレータに対して重要機器操作であることを警告することができる。
【００６６】
なお、本実施形態においては、入出力装置１１ａ及び１１ｂが対応付けられる、つまり、第１及び第２のオペレータが対応付けられるものとして説明したが、例えば３人以上のオペレータ（３台以上の入出力装置１１）が対応付けられる構成でも構わない。この場合には、例えば対応付けられている全てのオペレータの操作がなければ現場機器５０の制御（操作）は実行されない。また、現場機器５０を制御するために、対応付けられている複数のオペレータのうちの予め定められた人数の操作を必要とするような構成であっても構わない。
【００６７】
また、本願発明は、上記実施形態そのままに限定されるものではなく、実施段階ではその要旨を逸脱しない範囲で構成要素を変形して具体化できる。また、上記実施形態に開示されている複数の構成要素の適宜な組合せにより種々の発明を形成できる。例えば、実施形態に示される全構成要素から幾つかの構成要素を削除してもよい。
【図面の簡単な説明】
【００６８】
【図１】本発明の実施形態に係るビル監視装置の構成を示すブロック図。
【図２】図１に示す機器情報データベース１２２のデータ構造の一例を示す図。
【図３】図１に示す入出力判定部１３の処理手順を示すフローチャート。
【符号の説明】
【００６９】
１０…ビル監視装置、１１ａ，１１ｂ…入出力装置、１２…メモリ、１３…入出力判定部、１４…警告音出力部、１５…制御出力部、１２２…機器情報データベース。
【図１】
2010020556.tif 000003
【図２】
2010020556.tif 000004
【図３】
2010020556.tif 000005